(57)【要約】【課題】無線通信サービスついての複数の要望の間に依存関係があることをユーザに理解させつつ、当該ユーザが希望する無線通信サービスを提供すること【解決手段】無線通信サービスについてのユーザの要望をそれぞれ示す複数のパラメータであって相互に依存する上記複数のパラメータに関する情報が提供される場合に、提供される上記情報を用いて、上記複数のパラメータの値を決定するための画面の表示を制御する表示制御部と、決定される上記複数のパラメータの値を取得する取得部と、を備え、取得される上記複数のパラメータの値は、上記無線通信サービスについての制御の変更に用いられる、通信装置が提供される。【選択図】図４
2014034196.tif 000002
【特許請求の範囲】
【請求項１】
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御する表示制御部と、
決定される前記複数のパラメータの値を取得する取得部と、
を備え、
取得される前記複数のパラメータの値は、前記無線通信サービスについての制御の変更に用いられる、
通信装置。
【請求項２】
前記複数のパラメータに関する前記情報は、無線通信サービスについての通信制御装置により提供される、請求項１に記載の通信装置。
【請求項３】
前記通信制御装置は、前記無線通信サービスのセルの基地局である、請求項２に記載の通信装置。
【請求項４】
前記複数のパラメータに関する前記情報は、前記複数のパラメータに含まれる個々のパラメータを示す情報、及び前記複数のパラメータ間の依存関係を示す情報を含む、請求項１に記載の通信装置。
【請求項５】
前記依存関係を示す情報は、前記複数のパラメータの値の組合せ候補のリストである、請求項４に記載の通信装置。
【請求項６】
前記依存関係を示す情報は、前記複数のパラメータ間の依存関係を表す関数である、請求項４に記載の通信装置。
【請求項７】
前記複数のパラメータは、前記無線通信サービスの通信による消費電力に関するパラメータ、及び前記無線通信サービスの通信品質に関するパラメータを含む、請求項１に記載の通信装置。
【請求項８】
前記無線通信サービスの通信品質に関する前記パラメータは、前記無線通信サービスの通信での応答速度に関するパラメータを含む、請求項７に記載の通信装置。
【請求項９】
前記無線通信サービスの通信品質に関する前記パラメータは、前記無線通信サービスの通信における接続状態の維持に関するパラメータを含む、請求項７に記載の通信装置。
【請求項１０】
決定される前記複数のパラメータの値は、前記無線通信サービスの通信チャネルの状態に依存する、請求項１に記載の通信装置。
【請求項１１】
決定される前記複数のパラメータの値は、前記無線通信サービスの通信チャネルのチャネル品質指標に依存する、請求項１０に記載の通信装置。
【請求項１２】
前記無線通信サービスについての前記制御は、連続受信又は不連続受信の制御を含む、請求項１に記載の通信装置。
【請求項１３】
前記表示制御部は、前記複数のパラメータの値が示されるように、前記画面の表示を制御する、請求項１に記載の通信装置。
【請求項１４】
前記表示制御部は、ユーザ操作に応じて、示される前記複数のパラメータの値が変化するように、前記画面の表示を制御し、
示される前記複数のパラメータの値は、前記複数のパラメータ間の依存関係を維持する、
請求項１３に記載の通信装置。
【請求項１５】
無線通信サービスについてのユーザの要望をそれぞれ示す複数のパラメータであって相互に依存する前記複数のパラメータに関する情報を取得する取得部と、
前記複数のパラメータの値を決定するための画面の表示を前記情報を用いて制御する通信装置に、取得される前記情報を提供する提供部と、
を備え、
決定される前記複数のパラメータの値は、前記通信装置により取得され、
取得される前記複数のパラメータの値は、前記無線通信サービスについての制御の変更に用いられる、
通信制御装置。
【請求項１６】
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御する通信装置であって、決定される前記複数のパラメータの値を取得する前記通信装置と、通信する通信部と、
前記無線通信サービスについての制御を実行する制御部と、
を備え、
取得される前記複数のパラメータの値は、前記無線通信サービスについての前記制御の変更に用いられる、
通信制御装置。
【請求項１７】
コンピュータを、
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御する表示制御部と、
決定される前記複数のパラメータの値を取得する取得部と、
として機能させ、
取得される前記複数のパラメータの値は、前記無線通信サービスについての制御の変更に用いられる、
プログラム。
【請求項１８】
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御することと、
決定される前記複数のパラメータの値を取得することと、
を含み、
取得される前記複数のパラメータの値は、前記無線通信サービスについての制御の変更に用いられる、
通信制御方法。
【発明の詳細な説明】
【技術分野】
【０００１】
本開示は、通信装置、通信制御装置、プログラム及び通信制御方法に関する。
【背景技術】
【０００２】
現在、３ＧＰＰ(Third  Generation  Partnership  Project)により、ＬＴＥ（Long  Term  Evolution）のような無線通信方式が規格化され、当該無線通信方式に準拠した無線通信システムが導入されている。このような無線通信システムでは、端末装置と基地局とが、無線アクセスネットワーク（ＲＡＮ：Radio  Access  Network）を介して無線通信する。【０００３】
ＲＡＮでは、無線リソースの制御、ハンドオーバの制御等の様々な制御が行われる。このようなＲＡＮ制御又はその最適化は、基地局を含むネットワーク側で実行される。そして、端末装置は、例えば受信電力レベルの測定のような、基地局がＲＡＮ制御又はその最適化を行うための補助的な役割を担う。【０００４】
例えば、特許文献１には、ハンドオーバの制御のために、端末装置が、近隣セルの受信電力レベルを測定し、測定結果を基地局に送信し、基地局が、ハンドオーバの判定を行う技術が、開示されている。
【先行技術文献】
【特許文献】
【０００５】
【特許文献１】特開２０１０−１９３４５６号公報
【発明の概要】
【発明が解決しようとする課題】
【０００６】
しかし、上記特許文献１を含む従来の技術では、端末装置は、補助的な役割を担うにすぎないので、端末装置のユーザの指示により、無線通信サービスについてのいずれかの要望（例えば、通信での応答速度）が、当該無線通信サービスに反映されるわけではない。そのため、ユーザが希望する無線通信サービスが提供されないことが考えられる。また、仮に、ユーザの指示によりいずれかの要望（例えば、通信での応答速度）が無線通信サービスに反映される仕組みが導入されたとしても、当該要望と依存関係にある別の要望（例えば、通信での消費電力）が影響を受け得る。そして、ユーザが当該依存関係を理解しないまま、別の要望が影響を受ける（例えば、通信での消費電力が上がる）と、結局、ユーザが希望する無線通信サービスが提供されないことが予測される。【０００７】
そこで、無線通信サービスついての複数の要望の間に依存関係があることをユーザに理解させつつ、当該ユーザが希望する無線通信サービスを提供することを可能にする仕組みが提供されることが望ましい。
【課題を解決するための手段】
【０００８】
本開示によれば、無線通信サービスについてのユーザの要望をそれぞれ示す複数のパラメータであって相互に依存する上記複数のパラメータに関する情報が提供される場合に、提供される上記情報を用いて、上記複数のパラメータの値を決定するための画面の表示を制御する表示制御部と、決定される上記複数のパラメータの値を取得する取得部と、を備え、取得される上記複数のパラメータの値は、上記無線通信サービスについての制御の変更に用いられる、通信装置が提供される。【０００９】
また、本開示によれば、無線通信サービスについてのユーザの要望をそれぞれ示す複数のパラメータであって相互に依存する上記複数のパラメータに関する情報を取得する取得部と、上記複数のパラメータの値を決定するための画面の表示を上記情報を用いて制御する通信装置に、取得される上記情報を提供する提供部と、を備え、決定される上記複数のパラメータの値は、上記通信装置により取得され、取得される上記複数のパラメータの値は、上記無線通信サービスについての制御の変更に用いられる、通信制御装置が提供される。【００１０】
また、本開示によれば、無線通信サービスについてのユーザの要望をそれぞれ示す複数のパラメータであって相互に依存する上記複数のパラメータに関する情報が提供される場合に、提供される上記情報を用いて、上記複数のパラメータの値を決定するための画面の表示を制御する通信装置であって、決定される上記複数のパラメータの値を取得する上記通信装置と、通信する通信部と、上記無線通信サービスについての制御を実行する制御部と、を備え、取得される上記複数のパラメータの値は、上記無線通信サービスについての上記制御の変更に用いられる、通信制御装置が提供される。【００１１】
また、本開示によれば、コンピュータを、無線通信サービスについてのユーザの要望をそれぞれ示す複数のパラメータであって相互に依存する上記複数のパラメータに関する情報が提供される場合に、提供される上記情報を用いて、上記複数のパラメータの値を決定するための画面の表示を制御する表示制御部と、決定される上記複数のパラメータの値を取得する取得部と、として機能させ、取得される上記複数のパラメータの値は、上記無線通信サービスについての制御の変更に用いられる、プログラムが提供される。【００１２】
また、本開示によれば、無線通信サービスについてのユーザの要望をそれぞれ示す複数のパラメータであって相互に依存する上記複数のパラメータに関する情報が提供される場合に、提供される上記情報を用いて、上記複数のパラメータの値を決定するための画面の表示を制御することと、決定される上記複数のパラメータの値を取得することと、を含み、取得される上記複数のパラメータの値は、上記無線通信サービスについての制御の変更に用いられる、通信制御方法が提供される。
【発明の効果】
【００１３】
以上説明したように本開示によれば、無線通信サービスついての複数の要望の間に依存関係があることをユーザに理解させつつ、当該ユーザが希望する無線通信サービスを提供することが可能となる。
【図面の簡単な説明】
【００１４】
【図１】本開示の一実施形態に係る無線通信システムの概略的な構成の一例を示す説明図である。
【図２】一実施形態に係る端末装置の構成の一例を示すブロック図である。
【図３】パラメータ決定画面の一例を説明するための説明図である。
【図４】ユーザ操作後のパラメータ決定画面の第１の例を説明するための説明図である。
【図５】ユーザ操作後のパラメータ決定画面の第２の例を説明するための説明図である。
【図６】一実施形態に係る基地局の構成の一例を示すブロック図である。
【図７】ＤＲＸサイクル及びOn-durationを説明するための説明図である。
【図８】一実施形態に係るパラメータ関連情報提供処理の概略的な流れの一例を示すフローチャートである。
【図９】一実施形態に係るパラメータ関連情報取得処理の概略的な流れの一例を示すフローチャートである。
【図１０】一実施形態に係るパラメータ決定処理の概略的な流れの一例を示すフローチャートである。
【図１１】一実施形態に係る制御変更処理の概略的な流れの一例を示すフローチャートである。
【図１２】一実施形態に係るパラメータ関連情報生成処理の概略的な流れの一例を示すフローチャートである。
【発明を実施するための形態】
【００１５】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
２．無線通信システムの概略的な構成
３．各装置の構成
３．１．端末装置の構成
３．２．基地局の構成
４．処理の流れ
５．変形例
６．まとめ
【００１７】
＜＜１．はじめに＞＞
まず、背景技術及び技術的な課題を説明する。
【００１８】
（背景技術）
現在、３ＧＰＰにより、ＬＴＥのような無線通信方式が規格化されている。そして、当該無線通信方式に準拠した無線通信システムが導入されている。このような無線通信システムでは、端末装置と基地局とがＲＡＮを介して無線通信する。
【００１９】
上記端末装置として、スマートフォンが急速に普及している。当該スマートフォンのバッテリ駆動時間は、従来の端末装置のバッテリ駆動時間と比べて短い。一般的に、スマートフォンでは、ディスプレイ、プロセッサ等の性能の高さに起因する消費電力が大きいが、無線通信に起因する消費電力も大きい。例えば、スマートフォンでは、複数のアプリケーションが、ネットワークへの常時接続を伴うので、端末装置とネットワークとの間で送受信される制御信号及びデータが増大し、その結果、無線通信に起因する消費電力が大きくなる。
【００２０】
そこで、多くのユーザが、消費電力の低減（即ち、バッテリ駆動時間の延長）を図るために、端末装置の機能の設定の変更を行なっている。例えば、ユーザは、端末装置の使用状況に応じて、ＷＬＡＮ（Wireless  Local  Area  Network）、Ｂｌｕｅｔｏｏｔｈ（登録商標）等の特定の機能を停止するように、設定を変更する。また、例えば、ユーザは、不要なアカウント、サービス又はアプリケーションを端末装置から可能な限り削除する。
【００２１】
一方、上述したようなユーザの状況に鑑み、端末メーカーも、消費電力を低減するための対策を施している。例えば、端末メーカーは、ＷＬＡＮ、Ｂｌｕｅｔｏｏｔｈ（登録商標）のＯＮ／ＯＦＦ設定、不要アプリケーションの削除等を容易に行うことを可能にするアプリケーションを提供している場合がある。
【００２２】
また、ＧＳＭＡ（GSM（登録商標）  Association）のような通信事業者の業界団体も、アプリケーションによる過大な通信によるネットワークの混雑、端末装置のバッテリの極端な消耗を改善するために、アプリケーションの適切な作成手法に関するガイドラインを作成している。このように、アプリケーションの開発者に対する啓発活動が行われている。
【００２３】
上述した背景の中で、現在、３ＧＰＰでは、このような、スマートフォンの使用によるＲＡＮアクセスの制御信号の増大の問題、及びバッテリの寿命に関する問題は、既に認識されている。そして、ＲＡＮワーキングアイテム（Working  Item）の１つである、Enhancements  for  diverse  data  applicationセッションにおいて、ＲＡＮ最適化のための標準化の議論も開始されている。
【００２４】
一方、現在、３ＧＰＰにより、ＬＴＥ（Long  Term  Evolution）のような無線通信方式が規格化され、当該無線通信方式に準拠した無線通信システムが導入されている。このような無線通信システムでは、スマートフォンのような端末装置と基地局とが、ＲＡＮを介して無線通信する。
【００２５】
ＲＡＮでは、無線リソースの制御、ハンドオーバの制御等の様々な制御が行われる。このようなＲＡＮ制御又はその最適化は、基地局を含むネットワーク側で実行される。そして、端末装置は、例えば受信電力レベルの測定のような、基地局がＲＡＮ制御又はその最適化を行うための補助的な役割を担う。
【００２６】
例えば、従来、ＬＴＥをはじめとするセルラー無線通信システムでは、端末装置は、ハンドオーバのために、隣接するセルからの受信信号レベルを測定し、ネットワーク側に報告していた。そして、ネットワークは、測定情報に基づいて、ハンドオーバの制御を行なっていた。
【００２７】
一例として、特開２０１０−１９３４５６号公報には、ハンドオ−バの制御のために、端末装置が、近隣セルの受信電力レベルを測定し、測定結果を基地局に送信し、基地局が、ハンドオーバの判定を行う技術が、開示されている。
【００２８】
また、例えば、ＬＴＥでは、端末装置は、制御信号を頻繁に基地局に送信し、当該基地局は、これらの制御信号を活用して、ＲＡＮ制御の最適化を行う。このような制御信号の例として、例えば、下りチャネルの通信品質を示すＣＱＩ（Channel  Quality  Indicator）、送信バッファの状態を示すＢＳＲ（Buffer  status  report）等の制御信号がある。
【００２９】
（技術的な課題）
しかし、上述した従来の技術では、端末装置は、補助的な役割を担うにすぎないので、端末装置のユーザの指示により、無線通信サービスについてのいずれかの要望（例えば、通信での応答速度）が、当該無線通信サービスに反映されるわけではない。そのため、ユーザが希望する無線通信サービスが提供されないことが考えられる。
【００３０】
一方、３ＧＰＰでは、端末装置からネットワークに向けて提供される、新たな情報に関する標準化の議論も行われている。具体的には、例えば、端末装置は、ネットワークに対し、端末のデータトラフィック情報、端末装置の設定情報、又は端末装置の移動情報等の新たな情報を提供することも考えられる。これにより、ネットワークは、現在よりも精度の高いＲＡＮの最適化を行えるようになる可能性がある。
【００３１】
しかし、ネットワーク中心の従来のＲＡＮ制御の観点によれば、端末装置のユーザの指示によりいずれかの要望（例えば、通信での応答速度）が無線通信サービスに反映されるわけではない。また、仮に、ユーザの指示によりいずれかの要望（例えば、通信での応答速度）が無線通信サービスに反映される仕組みが導入されたとしても、当該要望と依存関係にある別の要望（例えば、通信での消費電力）が影響を受け得る。そして、ユーザが当該依存関係を理解しないまま、別の要望が影響を受ける（例えば、通信での消費電力が上がる）と、結局、ユーザが希望する無線通信サービスが提供されないことが予測される。
【００３２】
そこで、本実施形態では、無線通信サービスついての複数の要望の間に依存関係があることをユーザに理解させつつ、当該ユーザが希望する無線通信サービスを提供することを可能にする。以降、＜＜２．無線通信システムの概略的な構成＞＞、＜＜３．各装置の構成＞＞、＜＜４．処理の流れ＞＞及び＜＜５．変形例＞＞において、その具体的な内容を説明する。
【００３３】
＜＜２．無線通信システムの概略的な構成＞＞
図１を参照して、本開示の実施形態に係る無線通信システムの概略的な構成について説明する。図１は、本実施形態に係る無線通信システムの概略的な構成の一例を示す説明図である。図１を参照すると、無線通信システムは、端末装置１００と基地局２００とを含む。
【００３４】
端末装置１００は、端末装置１００がセル２０内に位置する場合に、セル２０内で無線通信サービスを提供する基地局２００と無線通信する。端末装置１００は、制御信号及びデータを基地局２００から受信し、制御信号及びデータを基地局２００へ送信する。また、例えば、端末装置１００は、端末装置１００のユーザに提示すべき画面を表示面に表示する。また、例えば、端末装置１００は、当該ユーザの操作に応じて、様々な処理を実行する。
【００３５】
基地局２００は、無線通信サービスを提供するセル２０内で、セル２０内に位置する１つ以上の端末装置１００と無線通信する。基地局２００は、制御信号及びデータを端末装置１００へ送信し、制御信号及びデータを端末装置１００から受信する。また、例えば、基地局２００は、無線通信サービスについての制御を行う。
【００３６】
以降、＜＜３．各装置の構成＞＞及び＜＜４．処理の流れ＞＞において本実施形態の具体的な内容を説明する。
【００３７】
＜＜３．各装置の構成＞＞
次に、図２〜図７を参照して、本開示の実施形態に係る端末装置１００及び基地局２００の具体的な構成を説明する。
【００３８】
＜３．１．端末装置の構成＞
図２〜図５を参照して、本実施形態に係る端末装置１００の構成の一例について説明する。図２は、本実施形態に係る端末装置１００の構成の一例を示すブロック図である。図２を参照すると、端末装置１００は、無線通信部１１０、記憶部１２０、入力部１３０、表示部１４０及び処理部１５０を備える。
【００３９】
（無線通信部１１０）
無線通信部１１０は、セル２０内で基地局２００と無線通信する。無線通信部１１０は、例えば、アンテナ及びＲＦ回路を含み、無線通信における物理レイヤの機能を担う。無線通信部１１０は、例えば、制御信号及びデータを基地局２００へ送信し、制御信号及びデータを基地局２００から受信する。
【００４０】
（記憶部１２０）
記憶部１２０は、端末装置１００の動作のためのプログラム及びデータを記憶する。記憶部１２０は、例えばハードディスク又は半導体メモリ等の記憶媒体を含む。
【００４１】
（入力部１３０）
入力部１３０は、端末装置１００のユーザの操作に応じて、入力情報を生成する。入力部１３０は、例えば、タッチパネルのタッチ検出面を含み、ユーザによるタッチに応じた入力情報を生成する。なお、入力部１３０は、タッチ検出面に加えて、又はタッチ検出面の代わりに、キーボード、マウス、ボタン、スイッチ等を含んでもよい。
【００４２】
（表示部１４０）
表示部１４０は、処理部１５０（より具体的には、表示制御部１５５）による制御に従って、画面を表示する。表示部１４０は、例えば、タッチパネルの表示面を含む。
【００４３】
（処理部１５０）
処理部１５０は、端末装置１００の様々な機能を提供する。例えば、処理部１５０は、ＣＰＵ又はＤＳＰ等のプロセッサに相当し、記憶部１２０又は他の記憶媒体に記憶されるプログラムを実行することにより、上記様々な機能を提供する。処理部１５０は、通信処理部１５１、パラメータ関連情報取得部１５３、表示制御部１５５、パラメータ決定部１５７、及びパラメータ取得部１５９を含む。
【００４４】
（通信処理部１５１）
通信処理部１５１は、無線通信に関する各種処理を実行する。通信処理部１５１は、無線通信における、物理レイヤよりも上位のレイヤの機能を担う。例えば、通信処理部１５１は、ＭＡＣ（Media  Access  Control）レイヤ、ＲＬＣ（Radio  Link  Control）レイヤ、ＲＲＣ（Radio  Resource  Control）レイヤ等の機能を担う。
【００４５】
例えば、通信処理部１５１は、無線通信部１１０を介して、ユーザプレーンでデータを送受信し、制御プレーンで制御信号を送受信する。
【００４６】
また、例えば、通信処理部１５１は、無線通信サービスについての基地局２００の制御に従って、端末装置１００を動作させる。例えば、基地局２００からの制御信号が受信されると、通信処理部１５１は、当該制御信号に従って無線通信に関する設定を行う。一例として、不連続受信（ＤＲＸ：Discontinuous  Reception）サイクルの更新を指示する制御信号が受信されると、通信処理部１５１は、制御信号に従ってＤＲＸサイクルを更新する。
【００４７】
（パラメータ関連情報取得部１５３）
パラメータ関連情報取得部１５３は、無線通信サービスについてのユーザの要望をそれぞれ示す複数のパラメータであって相互に依存する上記複数のパラメータ（以下、「ユーザパラメータ）と呼ぶ）に関する情報（以下、「パラメータ関連情報」と呼ぶ）を取得する。
【００４８】
−ユーザパラメータ
上記複数のユーザパラメータは、例えば、無線通信サービスの通信による消費電力に関するパラメータ（以下、「消費電力パラメータ」と呼ぶ）、及び無線通信サービスの通信品質に関するパラメータを含む。
【００４９】
より具体的には、例えば、上記消費電力パラメータは、無線通信サービスの通信によって端末装置１００において消費される電力に対応するパラメータである。例えば、当該消費電力パラメータは、より大きい値である場合に、端末装置１００において消費される電力がより小さいことを示し、より小さい値である場合に、端末装置１００において消費される電力がより大きいことを示す。
【００５０】
また、例えば、無線通信サービスの通信品質に関する上記パラメータは、無線通信サービスの通信での応答速度に関するパラメータ（以下、「応答速度パラメータ」と呼ぶ）を含む。より具体的には、例えば、当該応答即度パラメータは、所望のデータ（例えば、Ｗｅｂページのデータ）が無線通信サービスの通信で端末装置１００へ提供される速度に対応するパラメータである。例えば、当該応答速度パラメータは、より大きい値である場合に、所望のデータが端末装置１００へ提供されるのに要する時間が短い（即ち、速度が速い）ことを示し、より小さい値である場合に、所望のデータが端末装置１００へ提供されるのに要する時間が長い（即ち、速度がより遅い）ことを示す。
【００５１】
また、例えば、無線通信サービスの通信品質に関する上記パラメータは、無線通信サービスの通信における接続状態の維持に関するパラメータ（以下、「接続維持パラメータ」と呼ぶ）を含む。より具体的には、例えば、当該接続維持パラメータは、端末装置１００が高速移動時において通信の接続状態の維持する能力に対応するパラメータである。例えば、当該接続維持パラメータは、より大きい値である場合に、高速移動時において通信の接続状態がより維持されやすいことを示し、より小さい値である場合に、高速移動時において通信の接続状態がより維持されにくいことを示す。
【００５２】
以上のように、上記複数のユーザパラメータは、一例として、消費電力パラメータ、応答速度パラメータ、及び接続維持パラメータを含む。
【００５３】
−パラメータ関連情報
上記パラメータ関連情報は、例えば、無線通信サービスについての通信制御装置により提供される。そして、当該通信制御装置は、例えば、無線通信サービスのセル２０の基地局２００である。基地局２００により送信されるパラメータ関連情報が、無線通信部１１０により受信されると、パラメータ関連情報取得部１５３は、当該パラメータ関連情報を取得する。そして、パラメータ関連情報取得部１５３は、取得したパラメータ関連情報を記憶部１２０に記憶させる。
【００５４】
また、上記パラメータ関連情報は、例えば、上記複数のユーザパラメータに含まれる個々のユーザパラメータを示す情報、及び上記複数のユーザパラメータ間の依存関係を示す情報を含む。
【００５５】
上記複数のユーザパラメータに含まれる個々のユーザパラメータを示す上記情報は、例えば、個々のユーザパラメータのパラメータ名である。上述したように、上記複数のユーザパラメータは、一例として、消費電力パラメータ、応答速度パラメータ、及び接続維持パラメータである。この場合に、消費電力パラメータのパラメータ名は、例えば「Battery」である。また、応答速度パラメータのパラメータ名は、例えば「Response」である。また、接続維持パラメータのパラメータ名は、例えば「Connectivity」である。
【００５６】
また、上記複数のユーザパラメータ間の依存関係を示す情報は、上記複数のユーザパラメータの値の組合せ候補のリストである。例えば、各ユーザパラメータが、候補値｛−４，−３，−２，−１，０，１，２，３，４｝のうちのいずれかの値をとる場合に、上記リストは、以下のように表され得る。
【００５７】
【数１】
2014034196.tif 000003
【００５８】
複数のユーザパラメータの値は、相互に依存し、このようなリストの中いずれかの組合せになる。
【００５９】
以上のように、上記パラメータ関連情報は、一例として、複数のユーザパラメータに含まれる個々のユーザパラメータのパラメータ名と、複数のユーザパラメータの値の組合せの候補のリストとを含む。
【００６０】
パラメータ関連情報が、上記リストのような、上記複数のユーザパラメータ間の依存関係を示す情報を含むことにより、パラメータ関連情報から、複数のユーザパラメータ間の依存関係を知ることが可能になる。例えば、通信での消費電力の低減と通信品質の向上（例えば、応答速度の向上、接続状態の維持能力の向上）とは、トレードオフの関係にある。パラメータ関連情報により、このようなトレードオフを知ることが可能になる。よって、パラメータ関連情報を用いて、上記依存関係を維持しつつ、複数のユーザパラメータを変更することが可能になる。
【００６１】
また、セル２０の基地局２００がパラメータ関連情報を提供することにより、セル２０ごとのパラメータ関連情報を提供することが可能になる。さらに、端末装置１００ごとのパラメータ関連情報を提供することも可能になる。
【００６２】
（表示制御部１５５）
表示制御部１５５は、画面の表示を制御する。例えば、表示制御部１５５は、表示部１４０に、画面を表示させる。
【００６３】
表示制御部１５５は、パラメータ関連情報が提供される場合に、提供されるパラメータ関連情報を用いて、上記複数のユーザパラメータの値を決定するための画面（以下、「パラメータ決定画面」と呼ぶ）の表示を制御する。例えば、上述したように、パラメータ関連情報が提供される場合に、パラメータ関連情報取得部１５３は、パラメータ関連情報を取得し、取得したパラメータ関連情報を記憶部１２０に記憶させる。そして、表示制御部１５５は、記憶部１２０に記憶されたパラメータ関連情報を用いて、パラメータ決定画面を表示部１４０に表示させる。その結果、端末装置１００のユーザは、当該パラメータ決定画面を見ながら、複数のユーザパラメータの値を調整することができる。そして、後述するように、このような調整の後に、当該複数のパラメータの値が決定される。
【００６４】
また、例えば、表示制御部１５５は、上記複数のパラメータの値が示されるように、パラメータ決定画面の表示を制御する。以下、この点について図３を参照してより具体的に説明する。
【００６５】
図３は、パラメータ決定画面の一例を説明するための説明図である。図３を参照すると、パラメータ決定画面３０が示されている。この例では、パラメータ決定画面３０の中で、複数のユーザパラメータの各々は、つまみ４１を含むスライダ４０として示される。具体的には、応答速度パラメータは、「レスポンス」というワードを伴うスライダ４０ａとして示されている。また、接続維持パラメータは、「切れにくさ」というワードを伴うスライダ４０ｂとして示されている。また、消費電力パラメータは、「バッテリ」というワードを伴うスライダ４０ｃとして示されている。これらの「レスポンス」、「切れにくさ」及び「バッテリ」というワードは、個々のユーザパラメータをユーザに容易に理解させるために示されている。そして、この例では、各ユーザパラメータの値は、つまみ４１の位置で示される。
【００６６】
パラメータ決定画面に示されるパラメータの値は、初期値、又は後述するパラメータ決定部１５７により随時算出される値である。
【００６７】
さらに、例えば、表示制御部１５５は、ユーザ操作に応じて、示される上記複数のユーザパラメータの値が変化するように、パラメータ決定画面の表示を制御する。そして、示される上記複数のユーザパラメータの値は、上記複数のユーザパラメータ間の依存関係を維持する。以下、この点について図４及び図５を参照してより具体的に説明する。
【００６８】
図４は、ユーザ操作後のパラメータ決定画面の第１の例を説明するための説明図である。図４を参照すると、図３と同様のパラメータ決定画面が示されている。上述したように、入力部１３０及び表示部１４０は、例えばタッチパネルにより実装される。例えば、端末装置１００のユーザの指が、つまみ４１ｃをドラッグすると、入力部１３０は、当該ドラッグに応じた入力情報を生成する。すると、後述するように、パラメータ決定部１５７は、入力情報に応じた消費電力パラメータの値を算出する。また、パラメータ決定部１５７は、複数のユーザパラメータ間の依存関係が維持されるように、算出された消費電力パラメータの値に対応する応答速度パラメータの値及び接続維持パラメータの値を算出する。そして、表示制御部１５５は、算出された応答速度パラメータの値、接続維持パラメータの値及び消費電力パラメータの値に対応する位置に、つまみ４１ａ、４１ｂ、４１ｃがスライドするように、パラメータ決定画面を制御する。即ち、つまみ４１ｃは、ユーザのドラッグに応じてスライドするように示され、つまみ４１ａ、４１ｂは、それに合わせてスライドするように示される。その結果、複数のユーザパラメータの値は、その依存関係が維持されるように示される。
【００６９】
図５は、ユーザ操作後のパラメータ決定画面の第２の例を説明するための説明図である。図５を参照すると、図３と同様のパラメータ決定画面が示されている。例えば、端末装置１００のユーザの指が、つまみ４１ｂをドラッグすると、入力部１３０は、当該ドラッグに応じた入力情報を生成する。すると、後述するように、パラメータ決定部１５７は、入力情報に応じた接続維持パラメータの値を算出する。また、パラメータ決定部１５７は、複数のユーザパラメータ間の依存関係が維持されるように、算出された接続維持パラメータの値に対応する応答速度パラメータ及び消費電力パラメータを算出する。そして、表示制御部１５５は、算出された応答速度パラメータの値、接続維持パラメータの値及び消費電力パラメータの値に対応する位置に、つまみ４１ａ、４１ｂ、４１ｃがスライドするように、パラメータ決定画面を制御する。即ち、つまみ４１ｂは、ユーザのドラッグに応じてスライドするように示され、つまみ４１ａ、４１ｃは、それに合わせてスライドするように示される。その結果、複数のユーザパラメータの値は、その依存関係が維持されるように示される。
【００７０】
以上のように、パラメータ決定画面では、１つのユーザパラメータの値が個別に決定されるわけではなく、複数のパラメータの値が決定される。そのため、ユーザは、複数のユーザパラメータ間に依存関係があること（即ち、無線通信サービスついての複数の要望の間に依存関係があること）を理解することができる。例えば、通信での消費電力と、通信での応答速度及び接続状態の維持のような通信品質との間に、トレードオフの関係があることを、ユーザは理解することができる。よって、ユーザは、複数のユーザパラメータの間の依存関係を理解した上で、これらの複数のユーザパラメータを調整することができる。即ち、ユーザは、ユーザの要望（例えば、消費電力、応答速度、接続の維持、等）の間の依存関係を理解した上で、当該依存関係が維持される範囲で希望を提示することができる。
【００７１】
また、複数のパラメータの値が、ユーザ操作に応じて、依存関係を維持しつつ変化するように示されることで、ユーザは、複数のユーザパラメータ間の依存関係をより直感的に理解することが可能になる。
【００７２】
また、上記例のように、複数のユーザパラメータが消費電力パラメータ及び通信品質に関するパラメータ（例えば、応答速度パラメータ、接続維持パラメータ）を含むことにより、端末装置１００のユーザは、消費電力と通信品質とのバランスを理解することができる。よって、例えば、ユーザは、バッテリの駆動時間を長くしたい場合には、通信品質を下げて消費電力を小さくすることを希望することができる。また、ユーザは、通信品質をより良くしたい場合には、消費電力を上げて通信品質を上げることを希望することができる。
【００７３】
また、通信品質に関するパラメータが応答速度パラメータを含むことにより、例えばＷｅｂページの閲覧時のように応答速度の向上が望まれる場合に、ユーザは応答速度を上げることを希望することが可能になる。また、通信品質に関するパラメータが接続維持パラメータを含むことにより、例えば高速移動時のように接続が切れてしまいやすい場合に、ユーザは接続状態の維持能力を上げることを希望することが可能になる。
【００７４】
（パラメータ決定部１５７）
パラメータ決定部１５７は、ユーザパラメータの値を決定する。
【００７５】
パラメータ決定部１５７は、例えば、ユーザパラメータの初期値を決定する。
【００７６】
より具体的には、例えば、パラメータ関連情報取得部１５３が、パラメータ関連情報を取得すると、パラメータ決定部１５７は、複数のユーザパラメータの初期値を決定する。一例として、パラメータ関連情報は、複数のユーザパラメータの初期値（例えば、（０，０，０））を含み、パラメータ決定部１５７は、パラメータ関連情報に含まれる初期値を、複数のユーザパラメータの初期値として決定する。なお、パラメータ関連情報は、複数のユーザパラメータの初期値を含まず、パラメータ決定部１５７は、複数のユーザパラメータの初期値を独自に決定してもよい。例えば、パラメータ決定部１５７は、複数のユーザパラメータの各々がとり得る値の中央値を、当該複数のユーザパラメータの初期値として決定してもよい。または、パラメータ決定部１５７は、所定の手続きに従って、複数のユーザパラメータの初期値を決定してもよい。
【００７７】
また、パラメータ決定部１５７は、例えば、パラメータ決定画面が表示されている場合に、ユーザ操作に応じて、上記複数のユーザパラメータの値を算出し、決定する。
【００７８】
より具体的には、図４を参照して説明したように、例えば、端末装置１００のユーザの指が、つまみ４１ｃをドラッグすると、入力部１３０は、当該ドラッグに応じた入力情報を生成する。すると、パラメータ決定部１５７は、入力情報に応じた消費電力パラメータの値を算出する。一例として、パラメータ決定部１５７は、ドラッグ後の位置に対応する値を算出し、候補値｛−４，−３，−２，−１，０，１，２，３，４｝のうちの算出された値に最も近い候補値を、消費電力パラメータとして選択する。また、パラメータ決定部１５７は、複数のユーザパラメータ間の依存関係が維持されるように、算出された消費電力パラメータの値に対応する応答速度パラメータの値及び接続維持パラメータの値を算出する。一例として、パラメータ決定部１５７は、ユーザパラメータの値の組合せ候補のリストの中の、算出された消費電力パラメータの値を含む組合せ候補を抽出する。そして、パラメータ決定部１５７は、抽出された組合せ候補のうちのいずれか１つを選択する。その結果、応答速度パラメータ及び接続維持パラメータの値は、選択された組合せ候補に含まれる値となる。
【００７９】
そして、パラメータ決定部１５７は、所定の条件が満たされる場合に、ユーザパラメータの値を、算出された値に決定する。例えば、パラメータ決定部１５７は、パラメータ決定画面が表示されている場合に、新たな複数のユーザパラメータの値が算出されてから所定の時間が経過すると、ユーザパラメータの値を、算出された値に決定する。なお、上記所定の条件は、この例に限られない。例えば、所定の条件は、ユーザ操作によりユーザパラメータの値を決定するように指示されることであってもよい。
【００８０】
（パラメータ取得部１５９）
パラメータ取得部１５９は、決定される上記複数のユーザパラメータの値を取得する。例えば、パラメータ決定部１５７が上記複数のユーザパラメータの値を決定すると、パラメータ取得部１５９は、決定された当該複数のユーザパラメータの値を取得する。
【００８１】
取得された上記複数のユーザパラメータの値は、例えば、通信処理部１５１及び無線通信部１１０を介して基地局２００へ送信される。例えば、端末装置１００がアイドルモードである際に上記複数のユーザパラメータの値が決定された場合に、端末装置１００がコネクテッドモードになる際に、当該複数のユーザパラメータの値が基地局２００へ送信されてもよい。これにより、端末装置１００の消費電力が低減され、制御信号が減少する。また、例えば、取得された上記複数のユーザパラメータの値は、Attach  Request  Message、Tracking  Area  Update  Messageのような既存のメッセージの中で送信されてもよい。
【００８２】
取得される上記複数のユーザパラメータの値は、無線通信サービスについての制御の変更に用いられる。この点については、基地局２００の構成に関連して説明する。
【００８３】
＜３．２．基地局の構成＞
図６を参照して、本実施形態に係る基地局２００の構成の一例について説明する。図６は、本実施形態に係る基地局２００の構成の一例を示すブロック図である。図６を参照すると、基地局２００は、無線通信部２１０、ネットワーク通信部２２０、記憶部２３０及び処理部２４０を備える。
【００８４】
（無線通信部２１０）
無線通信部２１０は、端末装置１００と無線通信する。即ち、無線通信部２１０は、セル２０内に位置する１つ以上の端末装置１００と無線通信する。無線通信部２１０は、例えば、アンテナ及びＲＦ回路を含み、無線通信における物理レイヤの機能を担う。無線通信部２１０は、例えば、制御信号及びデータを端末装置１００へ送信し、制御信号及びデータを端末装置１００から受信する。
【００８５】
（ネットワーク通信部２２０）
ネットワーク通信部２２０は、他の通信ノードと通信する。例えば、ネットワーク通信部２２０は、別の基地局２００、ＭＭＥ（Mobility  Management  Entity）等と通信する。
【００８６】
（記憶部２３０）
記憶部２３０は、基地局２００の動作のためのプログラム及びデータを記憶する。記憶部２３０は、例えばハードディスク又は半導体メモリ等の記憶媒体を含む。
【００８７】
（処理部２４０）
処理部２４０は、基地局２００の様々な機能を提供する。例えば、処理部２４０は、ＣＰＵ又はＤＳＰ等のプロセッサに相当し、記憶部２３０又は他の記憶媒体に記憶されるプログラムを実行することにより、上記様々な機能を提供する。処理部２４０は、パラメータ関連情報生成部２４１、パラメータ関連情報提供部２４３及び通信制御部２４５を備える。
【００８８】
（パラメータ関連情報生成部２４１）
パラメータ関連情報生成部２４１は、パラメータ関連情報を生成する。
【００８９】
−パラメータ関連情報の生成
上述したように、パラメータ関連情報は、例えば、複数のユーザパラメータに含まれる個々のユーザパラメータのパラメータ名と、複数のユーザパラメータの値の組合せ候補のリストとを含む。そして、パラメータ関連情報生成部２４１は、複数のユーザパラメータの値の組合せ候補のリストを生成する。
【００９０】
例えば、パラメータ関連情報生成部２４１は、無線通信サービスの制御のために設定される１つ以上のシステムパラメータの値の組合せ候補を生成し、当該組合せ候補の各々に対応する複数のユーザパラメータの値の組合せ候補を生成する。そして、パラメータ関連情報生成部２４１は、複数のユーザパラメータの値の組合せ候補をリストにすることにより、パラメータ関連情報を生成する。また、パラメータ関連情報生成部２４１は、以下のように、上記１つ以上のシステムパラメータの値の組合せ候補と上記複数のユーザパラメータの組合せ候補との対応関係を示すルックアップテーブルを生成する。
【００９１】
【表１】
2014034196.tif 000004
【００９２】
このようなルックアップテーブルにより、複数のユーザパラメータの値の組合せから、システムパラメータの値を決定することが可能になる。換言すると、ユーザの要望の組合せ又はユーザの希望から、具体的な制御を決定することが可能になる。
【００９３】
以下、上記１つ以上のシステムパラメータの値の組合せ候補を生成する手法の例、当該組合せ候補の各々に対応する複数のユーザパラメータの値の組合せ候補を生成する手法の例、及びシステムパラメータの具体例を説明する。
【００９４】
−１つ以上のシステムパラメータの値の組合せ候補を生成する手法の例
まず、パラメータ関連情報生成部２４１は、基準となるシステムパラメータの値（以下、「基準値」と呼ぶ）の組合せを取得する。当該基準値の組合せは、ユーザパラメータと関係なく通常どおり基地局２００により設定されるシステムパラメータの値の組合せである。上記基準値の組合せは、通信制御部２４５から取得されてもよく、又は基地局２００の外部から提供されてもよい。当該基準値の組合せは、例えば、上記ルックアップテーブルにおける、♯１の、システムパラメータの値の組合せ候補に対応する。
【００９５】
次に、パラメータ関連情報生成部２４１は、１つ以上のシステムパラメータのうちの個々のシステムパラメータの値を基準値から変化させることにより、システムパラメータの値の組合せ候補を生成する。１つのシステムパラメータが、ＤＲＸサイクルであり、ＤＲＸサイクルの基準値が、６４ｍｓである場合に、パラメータ関連情報生成部２４１は、ＤＲＸサイクルの値を３２ｍｓ、１２８ｍｓ等の、システムで設定され得る値に変化させる。同様に、パラメータ関連情報生成部２４１は、他のシステムパラメータの値も、基準値から変化させる。このように、パラメータ関連情報生成部２４１は、１つ以上のシステムパラメータの値の組合せ候補のリスト（以下、「システムパラメータリスト」と呼ぶ）を得る。例えば、３つのシステムパラメータが、それぞれ３つの値をとり得る場合には、当該３つのシステムパラメータの値の組合せ候補のシステムパラメータリストは、３×３×３＝２７個の組合せ候補を含む。
【００９６】
そして、上記システムパラメータリストの中に、システムにより許容されない組合せ候補、又は妥当ではない組合せ候補が存在する場合には、パラメータ関連情報生成部２４１は、このような組合せ候補を上記システムパラメータリストから除外する。なお、チャネル状態、ユーザの状況等に基づいて、組合せの候補がさらに除外されてもよい。
【００９７】
以上のように、１つ以上のシステムパラメータの値の組合せ候補が生成される。次に、当該組合せ候補の各々に対応する複数のユーザパラメータの値の組合せ候補を生成する手法の例を説明する。
【００９８】
−対応する複数のユーザパラメータの値の組合せ候補を生成する手法の例
上記システムパラメータリストに含まれる、１つ以上のシステムパラメータの値の各組合せ候補が、ユーザパラメータの観点（即ち、無線通信サービスについてのユーザの要望の観点）で評価される。一例として、各組合せ候補は、３つのユーザパラメータである「Battery」、「Response」、及び「Connectivity」の観点で評価される。即ち、各組合せ候補は、３つのユーザの要望である消費電力、応答速度、及び接続状態の維持の観点で評価される。例えば、各観点で、各組合せ候補に評価点が付与される。一例として、付与される評価点は、標準とする評価点（例えば、０）を中心とする複数段階の評価点（例えば、−４、−３、−２、−１、０、１、２、３、４）のうちのいずれかである。そして、例えば、上記システムパラメータリストの中の上記基準値の組合せには、標準とする評価点（Battery，Connectivity，Response）＝（０，０，０）が付与される。また、例えば、システムパラメータの値の別の組合せ候補には、（Battery，Connectivity，Response）＝（２，−２，−２）が付与される。
【００９９】
上記評価点は、ユーザの要望（例えば、消費電力、応答速度、接続状態の維持）についての変化を端末装置１００のユーザが感じられる程度の精度で付与されれば十分である。
【０１００】
そして、パラメータ関連情報生成部２４１は、例えば、上記評価点をユーザパラメータの値として利用することにより、１つ以上のシステムパラメータの値の組合せ候補に対応する、複数のユーザパラメータの値の組合せ候補を生成する。
【０１０１】
なお、上記評価点は、ネットワーク運用時のある時点でのフィールドテストの結果から決定されてもよく、又は厳密なネットワークシミュレーションの結果から決定されてもよい。
【０１０２】
また、パラメータ関連情報生成部２４１は、評価点を適宜更新してもよい。例えば、パラメータ関連情報生成部２４１は、ネットワークの状況、直近のスケジューリング情報等に基づいて、評価点を適宜更新してもよい。
【０１０３】
また、評価点がユーザパラメータの値として直接的に利用されなくてもよい。例えば、評価点が算出され、当該評価点に基づいて、ユーザパラメータの値が決定されてもよい。
【０１０４】
−システムパラメータ
システムパラメータは、無線通信サービスの制御のために設定されるパラメータである。例えば、システムパラメータは、連続受信又は不連続受信（ＤＲＸ）の制御のために設定されるパラメータを含む。より具体的には、例えば、ＤＲＸサイクル、On-duration  timer、Inactivity  timer、Short  DRX  cycle  Timer等が、システムパラメータの例として挙げられる。
【０１０５】
ＤＲＸは、周期的に受信回路を停止し、端末装置の平均消費電力を低減するメカニズムである。ＤＲＸとして、端末装置１００がコネクテッドモードである際に使用される、連続受信に付随するＳｈｏｒｔ  ＤＲＸ及びＬｏｎｇ  ＤＲＸ、並びに、端末装置１００がアイドルモードである際に使用される、ページングに付随するＤＲＸ等がある。
【０１０６】
以下、例示された上記システムパラメータと、ユーザパラメータが示すユーザの要望（例えば、消費電力、応答速度、接続状態の維持）との関係を説明する。まず、図７を参照して、ＤＲＸサイクル及びOn-duration  timerとユーザの要望との関係を説明する。
【０１０７】
図７は、ＤＲＸサイクル及びOn-durationを説明するための説明図である。図７を参照すると、ＤＲＸサイクル及びOn-durationが示されている。ＤＲＸでは、このようなＤＲＸサイクルが繰り返される。そして、端末装置１００は、ＤＲＸサイクルのうちの、On-durationで無線通信する。On-duration  timerは、On-durationの長さを示す。
【０１０８】
よって、ＤＲＸサイクルの値がより大きくなると、通信での消費電力がより小さくなり、通信での応答速度がより遅くなり得る。一方、ＤＲＸサイクルの値がより小さくなると、通信での消費電力がより大きくなり、通信での応答速度がより速くなり得る。
【０１０９】
また、On-duration  timerの値がより大きくなると、通信での消費電力がより大きくなり、通信での応答速度がより速くなり得る。一方、On-duration  timerの値がより小さくなると、通信での消費電力がより小さくなり、通信での応答速度がより遅くなり得る。
【０１１０】
このように、ＤＲＸサイクル及びOn-duration  timerのようなシステムパラメータの設定により、ユーザパラメータが示すユーザの要望（例えば、消費電力、応答速度）を実現することも可能になり得る。
【０１１１】
次に、Inactivity  timer及びShort  DRX  cycle  Timerとユーザの要望との関係を説明する。
【０１１２】
ＬＴＥでは、端末装置であるＵＥは、コネクテッドモードの際に、受信された制御信号で自装置宛のデータがあることを知ると、連続受信を開始する。そして、ＵＥは、ＤＲＸコマンドを受信するか、又は、連続受信の時間の上限を定めるInactivity  timerが切れると、連続受信を終了する。連続受信が終了すると、Ｓｈｏｒｔ  ＤＲＸが開始する。そして、Short  DRX  cycle  Timerが切れると、Ｌｏｎｇ  ＤＲＸが開始する。このように、ＬＴＥでは、コネクテッドモードでは、基本的には、より長いＤＲＸサイクルを伴うＬｏｎｇ  ＤＲＸが用いられるが、連続受信からＬｏｎｇ  ＤＲＸへの移行の際には、より短いＤＲＸサイクルを伴うＳｈｏｒｔ  ＤＲＸも用いられる。以上のような動作では、Inactivity  timerの値がより大きくなると、１回の連続受信の時間を長くなる。また、Short  DRX  cycle  Timerの値がより大きくなると、より短いＤＲＸサイクルを伴うＳｈｏｒｔ  ＤＲＸが用いられる時間が長くなる。
【０１１３】
よって、Inactivity  timerの値がより大きくなると、通信での消費電力がより大きくなり、通信での応答速度がより速くなり得る。また、ハンドオーバに関する制御信号を受信できる可能性も高まるので、接続状態の維持の可能性もより高くなり得る。一方、Inactivity  timerがより小さくなると、通信での消費電力がより小さくなり、通信での応答速度がより遅くなり得る。また、接続状態の維持の可能性もより低くなり得る。
【０１１４】
また、Short  DRX  cycle  Timerがより大きくなると、通信での消費電力がより大きくなり、通信での応答速度がより速くなり得る。一方、Short  DRX  cycle  Timerがより小さくなると、通信での消費電力がより小さくなり、通信での応答速度がより遅くなり得る。
【０１１５】
このように、Inactivity  timer及びShort  DRX  cycle  Timerのようなシステムパラメータの設定により、ユーザパラメータが示すユーザの要望（例えば、消費電力、応答速度、接続状態の維持）を実現することも可能になり得る。
【０１１６】
なお、システムパラメータは、さらに、端末装置１００がアイドルモードである際に使用されるＤＲＸ（即ち、、ページングに付随するＤＲＸ）のＤＲＸサイクルを含んでもよい。当該ＤＲＸサイクルの値がより大きくなると、通信での消費電力がより小さくなり、通信での応答速度がより遅くなり得る。また、ハンドオーバに関する制御信号を受信できる可能性も低くなるので、接続状態の維持の可能性もより低くなり得る。一方、上記ＤＲＸサイクルの値がより小さくなると、通信での消費電力がより大きくなり、通信での応答速度がより速くなり得る。また、ハンドオーバに関する制御信号を受信できる可能性も高くなるので、接続状態の維持の可能性もより高くなり得る。
【０１１７】
（パラメータ関連情報提供部２４３）
パラメータ関連情報提供部２４３は、パラメータ関連情報を取得する。そして、パラメータ関連情報提供部２４３は、取得されたパラメータ関連情報を提供する。例えば、パラメータ関連情報提供部２４３は、記憶部２３０により記憶されているパラメータ関連情報を取得し、通信制御部２４５及び無線通信部２１０に、パラメータ関連情報を端末装置１００へ送信させることにより、パラメータ関連情報を提供する。
【０１１８】
パラメータ関連情報は、任意のタイミング及び手法で送信され得る。例えば、パラメータ関連情報は、ペーシング情報の中で送信されてもよく、又はシステム情報の中で送信されてもよい。
【０１１９】
（通信制御部２４５）
通信制御部２４５は、無線通信に関する各種処理を実行する。通信制御部２４５は、無線通信における、物理レイヤよりも上位のレイヤの機能を担う。例えば、通信制御部２４５は、ＭＡＣレイヤ、ＲＬＣレイヤ、ＲＲＣレイヤ等の機能を担う。
【０１２０】
例えば、通信制御部２４５は、無線通信部２１０を介して、ユーザプレーンでデータを送受信し、制御プレーンで制御信号を送受信する。
【０１２１】
また、通信制御部２４５は、無線通信サービスについての制御を実行する。無線通信サービスについての当該制御は、例えば、各端末装置１００への無線リソースの割り当て、各端末装置１００の送信電力の制御、連続受信又は不連続受信（ＤＲＸ）の制御等を含む。
【０１２２】
また、例えば、無線通信部２１０及び通信制御部２４５が、端末装置１００から複数のユーザパラメータを受信すると、通信制御部２４５は、当該複数のユーザパラメータを用いて、無線通信サービスについての制御を変更する。例えば、通信制御部２４５は、パラメータ関連情報生成部２４１により生成された上記ルックアップテーブルを用いて、上記複数のユーザパラメータの値の組合せに対応するシステムパラメータの値の組合せ候補を取得する。そして、通信制御部２４５は、システムパラメータを、取得された組合せ候補に含まれる値に設定する。例えばこのように無線通信サービスについての制御が変更される。
【０１２３】
なお、無線通信サービスについての制御の変更は、システムパラメータの変更に限られない。一例として、無線通信サービスについての制御の変更として、ユーザパラメータ「Response」の値が大きい端末装置１００にさらなる無線リソースが割り当てられるように、無線リソースの割り当てが変更されてもよい。
【０１２４】
また、通信制御部２４５は、無線通信サービスについての制御を必ずしも変更しなくてもよい。例えば、通信制御部２４５は、制御の変更が可能か否かを判定し、制御の変更が可能である場合に、制御を変更してもよい。即ち、基地局２００は、ベストエフォートで、ユーザパラメータを制御に反映させてもよい。
【０１２５】
以上のように、複数のユーザパラメータが用いられて、無線通信サービスについての制御が変更されることにより、ユーザが希望する無線通信サービスを提供することが可能になる。また、変更される上記制御に、連続受信又は不連続受信（ＤＲＸ）の制御が含まれる場合には、上述したように、通信での消費電力及び通信品質（例えば、通信での応答速度、接続状態の維持）をユーザの希望に合わせることが可能になる。
【０１２６】
＜＜４．処理の流れ＞＞
次に、図８〜図１２を参照して、本開示の実施形態に係る各種処理の例を説明する。
【０１２７】
＜４．１．パラメータ関連情報の提供及び取得＞
図８及び図９を参照して、基地局２００によるパラメータ関連情報提供処理、及び端末装置１００によるパラメータ関連情報取得処理を説明する。
【０１２８】
（基地局２００によるパラメータ関連情報提供処理）
図８は、本実施形態に係るパラメータ関連情報提供処理の概略的な流れの一例を示すフローチャートである。当該処理は、基地局２００により実行される。
【０１２９】
ステップＳ３０１で、パラメータ関連情報提供部２４３は、記憶部２３０により記憶されているパラメータ関連情報を取得する。
【０１３０】
次に、ステップＳ３０３で、パラメータ関連情報提供部２４３は、通信制御部２４５及び無線通信部２１０に、パラメータ関連情報を端末装置１００へ送信させることにより、パラメータ関連情報を提供する。
【０１３１】
（端末装置１００によるパラメータ関連情報取得処理）
図９は、本実施形態に係るパラメータ関連情報取得処理の概略的な流れの一例を示すフローチャートである。当該処理は、端末装置１００により実行される。
【０１３２】
ステップＳ３１１で、パラメータ関連情報取得部１５３は、基地局２００により送信されるパラメータ関連情報が無線通信部１１０及び通信処理部１５１により受信されると、当該パラメータ関連情報を取得する。次に、ステップＳ３１３で、パラメータ関連情報取得部１５３は、取得したパラメータ関連情報を記憶部１２０に記憶させる。
【０１３３】
そして、ステップＳ３１５で、パラメータ決定部１５７は、複数のユーザパラメータの初期値を決定する。その後、ステップＳ３１７で、パラメータ決定部１５７は、決定された複数のユーザパラメータの初期値を記憶部１２０に記憶させる。
【０１３４】
＜４．２．パラメータの決定及び制御の変更＞
図１０及び図１１を参照して、端末装置１００によるパラメータ決定処理、及び基地局２００による制御変更処理を説明する。
【０１３５】
（端末装置１００によるパラメータ決定処理）
図１０は、本実施形態に係るパラメータ決定処理の概略的な流れの一例を示すフローチャートである。当該処理は、端末装置１００により実行される。
【０１３６】
ステップＳ４０１で、表示制御部１５５は、パラメータ関連情報及び複数のユーザパラメータの初期値を記憶部１２０から取得する。そして、ステップＳ４０３で、表示制御部１５５は、パラメータ決定画面を表示部１４０に表示させる。
【０１３７】
ステップＳ４０５で、入力部１３０は、端末装置１００のユーザの操作に応じて、入力情報を生成する。
【０１３８】
ステップＳ４０７で、パラメータ決定部１５７は、複数のユーザパラメータの値の決定のためのタイマを開始する。そして、ステップＳ４０９で、パラメータ決定部１５７は、入力情報に応じた、複数のユーザパラメータの値を算出する。そして、ステップＳ４１１で、パラメータ決定部１５７は、算出された複数のユーザパラメータの値を記憶部１２０に記憶させる。
【０１３９】
ステップＳ４１３で、表示制御部１５５は、更新されたパラメータ決定画面を表示部１４０に表示させる。
【０１４０】
ステップＳ４１５で、パラメータ決定部１５７は、さらなる入力情報が生成されたかを判定する。さらなる入力情報が生成されていれば、処理はステップＳ４０７へ戻る。そうでなければ、処理はステップＳ４１７へ進む。
【０１４１】
ステップＳ４１７で、パラメータ決定部１５７は、上記タイマが切れたかを判定する。上記タイマが切れていれば、処理はステップＳ４１９へ進む。そうでなければ、処理はステップＳ４１５へ戻る。
【０１４２】
ステップＳ４１９で、パラメータ決定部１５７は、複数のユーザパラメータの値を決定する。そして、ステップＳ４２１で、パラメータ取得部１５９は、決定された複数のユーザパラメータの値を取得する。そして、ステップＳ４２３で、通信処理部１５１及び無線通信部１１０は、当該複数のユーザパラメータを基地局２００へ送信する。そして、処理は終了する。
【０１４３】
（基地局２００による制御変更処理）
図１１は、本実施形態に係る制御変更処理の概略的な流れの一例を示すフローチャートである。当該処理は、基地局２００により実行される。
【０１４４】
ステップＳ４３１で、無線通信部２１０及び通信制御部２４５は、端末装置１００から、複数のユーザパラメータの値を受信する。
【０１４５】
次に、ステップＳ４３３で、通信制御部２４５は、パラメータ関連情報生成部２４１により生成されたルックアップテーブルを用いて、上記複数のユーザパラメータの値の組合せに対応するシステムパラメータの値の組合せ候補を取得する。
【０１４６】
そして、ステップＳ４３５で、通信制御部２４５は、システムパラメータを、取得された組合せ候補に含まれる値に設定することにより、無線通信サービスについての制御を変更する。
【０１４７】
＜４．３．パラメータ関連情報の生成＞
図１２を参照して、基地局２００によるパラメータ関連情報生成処理を説明する。図１２は、本実施形態に係るパラメータ関連情報生成処理の概略的な流れの一例を示すフローチャートである。当該処理は、基地局２００により実行される。
【０１４８】
ステップＳ５０１で、パラメータ関連情報生成部２４１は、基準となるシステムパラメータの値（即ち、基準値）の組合せを取得する。
【０１４９】
次に、ステップＳ５０３で、パラメータ関連情報生成部２４１は、１つ以上のシステムパラメータのうちの個々のシステムパラメータの値を基準値から変化させることにより、システムパラメータの値の組合せ候補を生成する。即ち、パラメータ関連情報生成部２４１は、システムパラメータの値の組合せ候補のリスト（即ち、システムパラメータリスト）を生成する。
【０１５０】
そして、ステップＳ５０５で、上記システムパラメータリストの中に、システムにより許容されない組合せ候補、又は妥当ではない組合せ候補が存在する場合には、パラメータ関連情報生成部２４１は、このような組合せ候補を上記システムパラメータリストから除外する。
【０１５１】
その後、ステップＳ５０７で、パラメータ関連情報生成部２４１は、除外後のシステムパラメータの値の組合せ候補（システムパラメータリスト）を記憶部２３０に記憶させる。
【０１５２】
次に、ステップＳ５０９で、システムパラメータの値の各組合せ候補が、ユーザパラメータの観点（即ち、無線通信サービスについてのユーザの要望の観点）で評価される。例えば、システムパラメータの値の各組合せ候補に、評価点が付与される。
【０１５３】
そして、ステップＳ５１１で、パラメータ関連情報生成部２４１は、上記評価点をユーザパラメータの値として利用することにより、１つ以上のシステムパラメータの値の組合せ候補に対応する、複数のユーザパラメータの値の組合せ候補を生成する。
【０１５４】
その後、ステップＳ５１３で、パラメータ関連情報生成部２４１は、複数のユーザパラメータの値の組合せ候補をリストにすることにより、パラメータ関連情報を生成する。
【０１５５】
また、ステップＳ５１５で、パラメータ関連情報生成部２４１は、上記１つ以上のシステムパラメータの値の組合せ候補と上記複数のユーザパラメータの組合せ候補との対応関係を示すルックアップテーブルを生成する。
【０１５６】
＜＜５．変形例＞＞
次に、本実施形態の第１の変形例及び第２の変形例を説明する。
【０１５７】
＜５．１．第１の変形例＞
本実施形態では、上述したように、上記パラメータ関連情報は、例えば、上記複数のユーザパラメータに含まれる個々のユーザパラメータを示す情報、及び上記複数のユーザパラメータ間の依存関係を示す情報を含む。第１の変形例では、上記複数のユーザパラメータ間の依存関係を示す情報は、上記複数のユーザパラメータの値の組合せ候補のリストの代わりに、上記複数のユーザパラメータ間の依存関係を表す関数である。
【０１５８】
第１の例として、上記複数のユーザパラメータ間の依存関係を表す関数は、以下のように表され得る。
【０１５９】
【数２】
2014034196.tif 000005
【０１６０】
この例では、「Connectivity」及び「Response」の値は、「Battery」を引数とする関数ｆ１、ｆ２により算出される。この場合に、「Connectivity」及び「Response」の値は、「Battery」の値に応じて決まる。このように１つのユーザパラメータの値の決定により、他のユーザパラメータの値が決まり得る。
【０１６１】
第２の例として、上記複数のユーザパラメータ間の依存関係を表す関数は、以下のように表され得る。
【０１６２】
【数３】
2014034196.tif 000006
【０１６３】
この例では、「Response」の値は、「Battery」及び「Connectivity」を引数とする関数ｆ３により算出される。このように、２つ以上のユーザパラメータの値の決定により、他のユーザパラメータの値が決まり得る。
【０１６４】
第３の例として、上記複数のユーザパラメータ間の依存関係を表す関数は、以下のように表され得る。
【０１６５】
【数４】
2014034196.tif 000007
【０１６６】
この例では、１つの媒介変数ｔが用いられる。例えば、「Battery」の値を決定すると、「Connectivity」及び「Response」の値は、Connectivity=f5(f4-1(Battery))、Response=f6(f4-1(Battery))により求められる。このようにいずれか１つのユーザパラメータの値の決定により、他のユーザパラメータの値が決まり得る。
【０１６７】
第４の例として、上記複数のユーザパラメータ間の依存関係を表す関数は、以下のように表され得る。
【０１６８】
【数５】
2014034196.tif 000008
【０１６９】
この例では、２つの媒介変数ｔ１、ｔ２が用いられる。例えば、「Battery」の値を決定し、さらに「Response」の値を決定すると、媒介変数ｔ１、ｔ２の値が決まるので、「Connectivity」の値も決まる。このように依存関係を維持しつつ、個々のユーザパラメータの値が自由に決定され得る。
【０１７０】
＜５．２．第２の変形例＞
一般に、無線通信サービスについての許容される制御又は最適な制御は、チャネルの状態により変わり得る。第２の変形例では、決定される複数のユーザパラメータの値は、無線通信サービスの通信チャネルの状態に依存する。一例として、決定される上記複数のパラメータの値は、無線通信サービスの通信チャネルのチャネル品質指標（ＣＱＩ：Channel  Quality  Indicator）に依存する。
【０１７１】
より具体的には、例えば、上記パラメータ関連情報は、例えば、上記複数のユーザパラメータに含まれる個々のユーザパラメータを示す情報、及び上記複数のユーザパラメータ間の依存関係を示す情報を含む。そして、上記複数のユーザパラメータ間の依存関係を示す情報は、上記複数のユーザパラメータの値の組合せ候補のリストである。例えば、パラメータ関連情報生成部２４１は、以下のように、ＣＱＩの値ごとに、当該リストを生成する。
【０１７２】
【数６】
2014034196.tif 000009
【０１７３】
このように複数のユーザパラメータの値が通信チャネルの状態に依存することにより、チャネル状態に応じて許容可能なユーザの要望を、ユーザに提示することが可能になる。その結果、チャネル状態の制約の中でユーザが希望する無線通信サービスを提供することが可能になる。
【０１７４】
＜＜６．まとめ＞＞
ここまで、図１〜図１２を用いて、本開示に係る実施形態を説明した。本開示に係る実施形態によれば、パラメータ関連情報が提供される場合に、提供される当該パラメータ関連情報が用いられて、複数のユーザパラメータの値を決定するための画面（即ち、パラメータ決定画面）の表示が制御される。また、決定される上記複数のユーザパラメータの値が取得される。また、取得される上記複数のパラメータの値は、上記無線通信サービスについての制御の変更に用いられる。
【０１７５】
パラメータ決定画面では、１つのユーザパラメータの値が個別に決定されるわけではなく、複数のパラメータの値が決定される。そのため、ユーザは、複数のユーザパラメータ間に依存関係があること（即ち、無線通信サービスついての複数の要望の間に依存関係があること）を理解することができる。例えば、通信での消費電力と、通信での応答速度及び接続状態の維持のような通信品質との間に、トレードオフの関係があることを、ユーザは理解することができる。よって、ユーザは、複数のユーザパラメータの間の依存関係を理解した上で、これらの複数のユーザパラメータを調整することができる。即ち、ユーザは、ユーザの要望（例えば、消費電力、応答速度、接続の維持、等）の間の依存関係を理解した上で、当該依存関係が維持される範囲で希望を提示することができる。
【０１７６】
そして、複数のユーザパラメータが用いられて、無線通信サービスについての制御が変更されることにより、ユーザが希望する無線通信サービスを提供することが可能になる。
【０１７７】
即ち、無線通信サービスついての複数の要望の間に依存関係があることをユーザに理解させつつ、当該ユーザが希望する無線通信サービスを提供することが可能になる。
【０１７８】
また、例えば、上記パラメータ関連情報は、無線通信サービスについての通信制御装置により提供される。一例として、当該通信制御装置は、上記無線通信サービスのセル２０の基地局２００である。
【０１７９】
セル２０の基地局２００がパラメータ関連情報を提供することにより、セル２０ごとのパラメータ関連情報を提供することが可能になる。さらに、端末装置１００ごとのパラメータ関連情報を提供することも可能になる。
【０１８０】
また、例えば、上記パラメータ関連情報は、上記複数のユーザパラメータに含まれる個々のユーザパラメータを示す情報、及び上記複数のユーザパラメータ間の依存関係を示す情報を含む。一例として、上記依存関係を示す情報は、上記複数のユーザパラメータの値の組合せ候補のリストである。別の例として、上記依存関係を示す情報は、上記複数のユーザパラメータ間の依存関係を表す関数であってもよい。
【０１８１】
パラメータ関連情報が、上記複数のユーザパラメータ間の依存関係を示す情報を含むことにより、パラメータ関連情報から、複数のユーザパラメータ間の依存関係を知ることが可能になる。例えば、通信での消費電力の低減と通信品質の向上（例えば、応答速度の向上、接続状態の維持能力の向上）とは、トレードオフの関係にある。パラメータ関連情報により、このようなトレードオフを知ることが可能になる。よって、パラメータ関連情報を用いて、上記依存関係を維持しつつ、複数のユーザパラメータを変更することが可能になる。
【０１８２】
また、例えば、上記複数のユーザパラメータは、上記無線通信サービスの通信による消費電力に関するパラメータ（即ち、消費電力パラメータ）、及び上記無線通信サービスの通信品質に関するパラメータを含む。また、例えば、上記無線通信サービスの通信品質に関する上記パラメータは、上記無線通信サービスの通信での応答速度に関するパラメータ（即ち、応答速度パラメータ）を含む。また、例えば、上記無線通信サービスの通信品質に関する上記パラメータは、上記無線通信サービスの通信における接続状態の維持に関するパラメータ（即ち、接続維持パラメータ）を含む。
【０１８３】
このように、複数のユーザパラメータが消費電力パラメータ及び通信品質に関するパラメータ（例えば、応答速度パラメータ、接続維持パラメータ）を含むことにより、端末装置１００のユーザは、消費電力と通信品質とのバランスを理解することができる。よって、例えば、ユーザは、バッテリの駆動時間を長くしたい場合には、通信品質を下げて消費電力を小さくすることを希望することができる。また、ユーザは、通信品質をより良くしたい場合には、消費電力を上げて通信品質を上げることを希望することができる。
【０１８４】
また、通信品質に関するパラメータが応答速度パラメータを含むことにより、例えばＷｅｂページの閲覧時のように応答速度の向上が望まれる場合に、ユーザは応答速度を上げることを希望することが可能になる。また、通信品質に関するパラメータが接続維持パラメータを含むことにより、例えば高速移動時のように接続が切れてしまいやすい場合に、ユーザは接続状態の維持能力を上げることを希望することが可能になる。
【０１８５】
また、例えば、決定される上記複数のユーザパラメータの値は、上記無線通信サービスの通信チャネルの状態に依存してもよい。そして、例えば、決定される上記複数のユーザパラメータの値は、上記無線通信サービスの通信チャネルのチャネル品質指標（ＣＱＩ）に依存してもよい。
【０１８６】
このように複数のユーザパラメータの値が通信チャネルの状態に依存することにより、チャネル状態に応じて許容可能なユーザの要望を、ユーザに提示することが可能になる。その結果、チャネル状態の制約の中でユーザが希望する無線通信サービスを提供することが可能になる。
【０１８７】
また、例えば、上記無線通信サービスについての上記制御は、連続受信又は不連続受信（ＤＲＸ）の制御を含む。
【０１８８】
変更される上記制御に、連続受信又は不連続受信（ＤＲＸ）の制御が含まれることにより、通信での消費電力及び通信品質（例えば、通信での応答速度、接続状態の維持）をユーザの希望に合わせることが可能になる。
【０１８９】
また、例えば、上記複数のユーザパラメータの値が示されるように、パラメータ決定画面の表示が制御される。また、より具体的には、例えば、ユーザ操作に応じて、示される上記複数のユーザパラメータの値が変化するように、パラメータ決定画面の表示が制御される。
【０１９０】
複数のパラメータの値が、ユーザ操作に応じて、依存関係を維持しつつ変化するように示されることで、ユーザは、複数のユーザパラメータ間の依存関係をより直感的に理解することが可能になる。
【０１９１】
以上、添付図面を参照しながら本開示の好適な実施形態について説明したが、本開示は係る例に限定されないことは言うまでもない。当業者であれば、請求の範囲に記載された範疇内において、各種の変更例または修正例に想到し得ることは明らかであり、それらについても当然に本開示の技術的範囲に属するものと了解される。
【０１９２】
例えば、パラメータ関連情報は、基地局以外の通信制御装置により提供されてもよい。例えば、パラメータ関連情報は、基地局以外の通信制御装置により、基地局を介して提供されてもよい。また、パラメータ関連情報は、無線通信サービスの基地局を介さずに提供されてもよい。例えば、上記基地局がＬＴＥのｅＮｏｄｅＢである場合に、パラメータ関連情報は、ＷＬＡＮのアクセスポイントを介して提供されてもよい。
【０１９３】
また、無線通信サービスについての制御の変更は、連続受信又は不連続受信（ＤＲＸ）の制御の変更に限られない。例えば、無線通信サービスについての制御の変更は、無線リソースのスケジューラの設定の変更であってもよい。また、無線通信サービスについての制御の変更は、システムパラメータの値の変更に限られず、別の形での制御の変更であってもよい。
【０１９４】
また、無線通信サービスについての制御の変更は、基地局により行われなくてもよい。例えば、当該制御の変更は、端末装置がユーザパラメータに対応する制御信号を生成し、当該制御信号を基地局に送信することにより、行われてもよい。
【０１９５】
また、決定された複数のユーザパラメータの値及び／又は１つ以上のシステムパラメータの値は、端末装置１００がハンドオーバを行う場合に、ソース基地局からターゲット基地局へ、又は端末装置からターゲット基地局へ送信されてもよい。
【０１９６】
また、上記複数のユーザパラメータに含まれる個々のパラメータは、消費電力パラメータ、応答速度パラメータ及び接続維持パラメータに限られない。上記複数のユーザパラメータは、無線通信サービスの通信に関連する様々なパラメータを含み得る。一例として、上記複数のパラメータは、応答速度パラメータ及び接続維持パラメータの代わりに、無線通信サービスの通信品質を示す１つの通信品質パラメータを含んでもよい。
【０１９７】
また、本明細書の通信装置（例えば、端末装置）及び通信制御装置（例えば、基地局）における処理ステップは、必ずしもフローチャートに記載された順序に沿って時系列に実行されなくてよい。例えば、通信装置及び通信制御装置における処理ステップは、フローチャートとして記載した順序と異なる順序で実行されても、並列的に実行されてもよい。
【０１９８】
また、通信装置及び通信制御装置に内蔵されるＣＰＵ、ＲＯＭ及びＲＡＭ等のハードウェアに、上記通信装置及び通信制御装置の各構成と同等の機能を発揮させるためのコンピュータプログラムも作成可能である。また、当該コンピュータプログラムを記憶させた記憶媒体も提供される。
【０１９９】
なお、以下のような構成も本開示の技術的範囲に属する。
（１）
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御する表示制御部と、
決定される前記複数のパラメータの値を取得する取得部と、
を備え、
取得される前記複数のパラメータの値は、前記無線通信サービスについての制御の変更に用いられる、
通信装置。
（２）
前記複数のパラメータに関する前記情報は、無線通信サービスについての通信制御装置により提供される、前記（１）に記載の通信装置。
（３）
前記通信制御装置は、前記無線通信サービスのセルの基地局である、前記（２）に記載の通信装置。
（４）
前記複数のパラメータに関する前記情報は、前記複数のパラメータに含まれる個々のパラメータを示す情報、及び前記複数のパラメータ間の依存関係を示す情報を含む、前記（１）〜（３）のいずれか１項に記載の通信装置。
（５）
前記依存関係を示す情報は、前記複数のパラメータの値の組合せ候補のリストである、前記（４）に記載の通信装置。
（６）
前記依存関係を示す情報は、前記複数のパラメータ間の依存関係を表す関数である、前記（４）に記載の通信装置。
（７）
前記複数のパラメータは、前記無線通信サービスの通信による消費電力に関するパラメータ、及び前記無線通信サービスの通信品質に関するパラメータを含む、前記（１）〜（６）のいずれか１項に記載の通信装置。
（８）
前記無線通信サービスの通信品質に関する前記パラメータは、前記無線通信サービスの通信での応答速度に関するパラメータを含む、前記（７）に記載の通信装置。
（９）
前記無線通信サービスの通信品質に関する前記パラメータは、前記無線通信サービスの通信における接続状態の維持に関するパラメータを含む、前記（７）又は（８）に記載の通信装置。
（１０）
決定される前記複数のパラメータの値は、前記無線通信サービスの通信チャネルの状態に依存する、前記（１）〜（９）のいずれか１項に記載の通信装置。
（１１）
決定される前記複数のパラメータの値は、前記無線通信サービスの通信チャネルのチャネル品質指標に依存する、前記（１０）に記載の通信装置。
（１２）
前記無線通信サービスについての前記制御は、連続受信又は不連続受信の制御を含む、前記（１）〜（１１）のいずれか１項に記載の通信装置。
（１３）
前記表示制御部は、前記複数のパラメータの値が示されるように、前記画面の表示を制御する、前記（１）〜（１２）のいずれか１項に記載の通信装置。
（１４）
前記表示制御部は、ユーザ操作に応じて、示される前記複数のパラメータの値が変化するように、前記画面の表示を制御し、
示される前記複数のパラメータの値は、前記複数のパラメータ間の依存関係を維持する、
前記（１３）に記載の通信装置。
（１５）
無線通信サービスについてのユーザの要望をそれぞれ示す複数のパラメータであって相互に依存する前記複数のパラメータに関する情報を取得する取得部と、
前記複数のパラメータの値を決定するための画面の表示を前記情報を用いて制御する通信装置に、取得される前記情報を提供する提供部と、
を備え、
決定される前記複数のパラメータの値は、前記通信装置により取得され、
取得される前記複数のパラメータの値は、前記無線通信サービスについての制御の変更に用いられる、
通信制御装置。
（１６）
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御する通信装置であって、決定される前記複数のパラメータの値を取得する前記通信装置と、通信する通信部と、
前記無線通信サービスについての制御を実行する制御部と、
を備え、
取得される前記複数のパラメータの値は、前記無線通信サービスについての前記制御の変更に用いられる、
通信制御装置。
（１７）
コンピュータを、
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御する表示制御部と、
決定される前記複数のパラメータの値を取得する取得部と、
として機能させ、
取得される前記複数のパラメータの値は、前記無線通信サービスについての制御の変更に用いられる、
プログラム。
（１８）
無線通信サービスについてのユーザの要望をそれぞれ示す複数のパラメータであって相互に依存する前記複数のパラメータに関する情報が提供される場合に、提供される前記情報を用いて、前記複数のパラメータの値を決定するための画面の表示を制御することと、
決定される前記複数のパラメータの値を取得することと、
を含み、
取得される前記複数のパラメータの値は、前記無線通信サービスについての制御の変更に用いられる、
通信制御方法。
【符号の説明】
【０２００】
２０      セル
３０      パラメータ決定画面
４０      スライダ
４１      つまみ
１００    端末装置
１１０    無線通信部
１２０    記憶部
１３０    入力部
１４０    表示部
１５０    処理部
１５１    通信処理部
１５３    パラメータ関連情報取得部
１５５    表示制御部
１５７    パラメータ決定部
１５９    パラメータ取得部
２００    基地局
２１０    無線通信部
２２０    ネットワーク通信部
２３０    記憶部
２４０    処理部
２４１    パラメータ関連情報生成部
２４３    パラメータ関連情報提供部
２４５    通信制御部
【図１】
2014034196.tif 000010
【図２】
2014034196.tif 000011
【図３】
2014034196.tif 000012
【図４】
2014034196.tif 000013
【図５】
2014034196.tif 000014
【図６】
2014034196.tif 000015
【図７】
2014034196.tif 000016
【図８】
2014034196.tif 000017
【図９】
2014034196.tif 000018
【図１０】
2014034196.tif 000019
【図１１】
2014034196.tif 000020
【図１２】
2014034196.tif 000021
【国際調査報告】
2014034196.tif 000022
2014034196.tif 000023